(57)【要約】【課題】薄肉化が可能でコントラストが高い液晶表示装置１０および電子時計１を提供する。【解決手段】表側に情報を表示する液晶パネル３０と、液晶パネル３０の裏側に配置され、表側から液晶パネル３０に入射した外光７０を表側に向かって反射する反射板３２と、液晶パネル３０の裏側に配置され、照明光８０を出射するバックライト３４と、を備え、外光７０を利用した情報表示と照明光８０を利用した情報表示とが可能な液晶表示装置１０であって、バックライト３４は少なくとも反射板３２の周囲に配置され、バックライト３４から出射した照明光８０を反射板３２に向かって反射する反射部１９を備えたことを特徴とする。【選択図】図４
2012202932.tif 000002
【特許請求の範囲】
【請求項１】
表側に情報を表示する液晶パネルと、
前記液晶パネルの裏側に配置され、前記表側から前記液晶パネルに入射した外光を前記表側に向かって反射する反射板と、
前記液晶パネルの裏側に配置され、照明光を出射する照明手段と、を備え、
前記外光を利用した情報表示と前記照明光を利用した情報表示とが可能な液晶表示装置であって、
前記照明手段は、少なくとも前記反射板の周囲に配置され、
前記照明手段から出射した照明光を前記反射板に向かって反射する反射部を備えたことを特徴とする液晶表示装置。
【請求項２】
前記照明手段は、エレクトロルミネッセンス装置であることを特徴とする請求項１に記載の液晶表示装置。
【請求項３】
前記液晶パネルは、ポリマーネットワーク型液晶パネルであることを特徴とする請求項１または請求項２に記載の液晶表示装置。
【請求項４】
前記液晶パネルの周囲に配置されたケースを備え、
前記反射部は、前記ケースの内面であることを特徴とする請求項１ないし請求項３のいずれか１項に記載の液晶表示装置。
【請求項５】
前記液晶パネルの周囲に配置されたケースを備え、
前記ケースの内面に、光反射処理が施され、
前記反射部は、前記光反射処理が施された前記ケースの内面であることを特徴とする請求項１ないし請求項３のいずれか１項に記載の液晶表示装置。
【請求項６】
前記液晶パネルの周囲に配置された電磁シールド部材を備え、
前記反射部は、前記電磁シールド部材の内面であることを特徴とする請求項１ないし請求項３のいずれか１項に記載の液晶表示装置。
【請求項７】
請求項１ないし請求項６のいずれか１項に記載の液晶表示装置を備えたことを特徴とする電子時計。
【発明の詳細な説明】
【技術分野】
【０００１】
本発明は、液晶表示装置および電子時計に関するものである。
【背景技術】
【０００２】
電子時計では、時刻等の情報の表示手段として液晶表示装置が利用されている。液晶表示装置として、半透過反射型の液晶表示装置が利用されている（例えば、特許文献１参照）。半透過反射型の液晶表示装置では、昼間はバックライトを消灯し、外光を利用して情報表示を行う。一方、夜間はバックライト（照明手段）を点灯し、その照明光を利用して情報表示を行う。
【０００３】
図７は、従来技術に係る液晶表示装置の情報表示作用の説明図である。図７（ａ）に示す液晶表示装置２１０は、半透過反射型の液晶表示装置であって、液晶パネル２３０の裏面側に、入射光の略半分を透過し略半分を反射する半透過反射板３３が配置されている。その半透過反射板３３の裏面側に、エレクトロルミネッセンス装置（以下「ＥＬ装置」という。）からなるバックライト３４が配置されている。
バックライト３４が消灯の時、液晶パネル２３０の表側から入射した外光７０は、液晶パネルの透過部（ノーマリーホワイトの時のＯＦＦ部）を透過し、その略半分が半透過反射板３３で反射され、表側に出射して白表示が行われる。バックライト３４の点灯時、バックライト３４から出射した照明光８０は、その略半分が半透過反射板３３を透過し、表側に出射して白表示が行われる。
【０００４】
また、図７（ｂ）に示す液晶表示装置３１０では、液晶パネル３３０の裏面側にバックライト３４が配置されている。このバックライト３４は、導光板３８の側面に光源であるＬＥＤ３６を配置し構成したものである。そのバックライト３４の裏面側に、入射光の略全部を反射する反射板３２が配置されている。
バックライト３４の消灯時、液晶パネル３３０の表側から入射した外光７０は、液晶パネルの透過部（ノーマリーホワイトの時のＯＦＦ部）を透過し、その略全部が反射板３２で反射され、表側に出射して白表示が行われる。バックライト３４の点灯時、バックライト３４から出射した照明光８０は、その略全部が液晶パネル３３０の表側に出射して白表示が行われる。
【先行技術文献】
【特許文献】
【０００５】
【特許文献１】特許第４０８３７８５号公報
【発明の概要】
【発明が解決しようとする課題】
【０００６】
図７（ａ）に示す液晶表示装置２１０は、バックライト３４としてＥＬ装置を利用するので、液晶表示装置２１０を薄肉化できる。しかしながら、半透過反射板３３を使用するため、外光７０および照明光８０の略半分しか白表示に利用されないので、表示領域全体の明るさが低下し視認性が劣るという問題がある。
これに対して、図７（ｂ）に示す液晶表示装置３１０は、反射板３２と導光板３８を含むバックライト３４を使用するため、外光７０および照明光８０の略全部が白表示に利用されるので、表示領域が明るく視認性は良好である。しかしながら、バックライト３４として導光板３８を利用するので、液晶表示装置３１０が厚肉化するという問題がある。
【０００７】
近時、ポリマーネットワーク型液晶を備えた液晶表示装置が開発されている。ポリマーネットワーク型液晶は、表示電圧印加部分では入射光を透過して反射板表面を視認させ、それ以外の部分では入射光を散乱させて白濁表示を行うものである。光の散乱は光が入射する際と反射板で反射された際の二度にわたり散乱され白濁感をより強めてコントラストを維持している。この液晶表示装置は、偏光板が不要であるため光の利用効率が高く、明るい表示を行うことができる。
しかしながら、夜間など外部からの入射光が無い場合でも視認できるように、バックライトを搭載した図７（ａ）に示す液晶表示装置２１０の液晶パネルとしてポリマーネットワーク型液晶を採用した場合には、バックライト３４であるＥＬ装置から出射した照明光８０が、直ちに液晶パネル２３０の透過部と白濁部分に入射し、視認されるため、白濁部分に入射した光は液晶層を１度通過するだけのため外部からの入射光と比較して散乱が小さく、過度に明るくなり、透過部とのコントラストが低くなり、表示領域は明るいものの情報は視認できない状態になる。
【０００８】
本発明は、上記のような問題に鑑みてなされたものであり、薄肉化が可能で表示領域が明るく視認性の高い液晶表示装置および電子時計を提供することを目的とする。
【課題を解決するための手段】
【０００９】
上記の問題を解決するために、本発明の液晶表示装置は、表側に情報を表示する液晶パネルと、前記液晶パネルの裏側に配置され、前記表側から前記液晶パネルに入射した外光を前記表側に向かって反射する反射板と、前記液晶パネルの裏側に配置され、照明光を出射する照明手段と、を備え、前記外光を利用した情報表示と前記照明光を利用した情報表示とが可能な液晶表示装置であって、前記照明手段は、少なくとも前記反射板の周囲に配置され、前記照明手段から出射した照明光を前記反射板に向かって反射する反射部を備えたことを特徴とする。
【００１０】
この発明によれば、反射板として半透過反射板を採用する必要がなく、入射光の略全部を反射する反射板を採用することができる。そのため、照明手段の消灯時に液晶パネルの表側から入射した外光は、その略全部が反射板で反射され、表側に出射するため、表示領域全体が明るくなり表示情報の視認性が高くなる。
また、照明手段が反射板の周囲に配置されているので、照明手段から出射した照明光は反射板の表側に回りこみ、反射部および反射板で反射されて、その多くが表示領域内に利用される。したがって、表示領域全体が明るくなり視認性が向上する。
さらに、入射光の略全部を反射する反射板を採用しつつも、照明手段として導光板を採用する必要がないので、液晶表示装置を薄肉化することができる。
【００１１】
また前記照明手段は、エレクトロルミネッセンス装置であることが望ましい。
この発明によれば、照明手段として薄肉のエレクトロルミネッセンス装置を採用するので、液晶表示装置を極めて薄肉化することができる。
【００１２】
また前記液晶パネルは、ポリマーネットワーク型（以下「ＰＮ型」という。）液晶パネルであってもよい。
ツイステッドネマチック型（以下「ＴＮ型」という。）液晶パネルとＰＮ型液晶パネルの違いをノーマリーホワイト（背景が白で文字部が黒の表示形態）とノーマリーブラック（背景が黒で文字部が白の表示形態）で説明する。ノーマリーホワイトのＴＮ型液晶パネルとＰＮ型液晶パネルを比較すると表示電圧印加部ではＴＮ型液晶パネルは光を遮断し、ＰＮ型液晶パネルは光を透過する。表示電圧非印加部はＴＮ型液晶では光を透過し、ＰＮ型液晶パネルでは光を散乱させる。ノーマリーブラックのＴＮ型液晶パネルとＰＮ型液晶パネルを比較すると表示電圧印加部は両タイプとも光は透過し、表示電圧非印加部はノーマリーブラックのＴＮ型液晶パネルは光を遮断し、ＰＮ型液晶パネルは光を散乱する。
このような特性を有する液晶パネルに対して照明手段から出射した照明光は、直ちに液晶パネルに入射することなく、反射部により反射されて入射し、さらに反射板で反射された後に液晶パネルに入射する。そのため、ＰＮ型液晶を採用した場合でも、表示電圧非印加部（白濁部）が過度に明るくなるのを抑制できるので、光透過部と光散乱部とのコントラストを確保することができる。
【００１３】
また、前記液晶パネルの周囲に配置されたケースを備え、前記反射部は、前記ケースの内面であってもよい。
この発明によれば、新たに反射部を設ける必要がないので、液晶表示装置のコスト上昇を抑制することができる。
【００１４】
また、前記液晶パネルの周囲に配置されたケースを備え、前記ケースの内面に、光反射処理が施され、前記反射部は、前記光反射処理が施された前記ケースの内面であってもよい。
この発明によれば、ケース内面の光反射率が高まり、照明光の多くを反射板に向かって反射させるので、表示領域が明るくなる。また、ＰＮ型液晶パネルを採用した場合には光の散乱効果もあり、透過表示部と白濁表示部とのコントラストを照明手段が非点灯の場合と同様に維持しながら表示領域を明るくすることができる。
【００１５】
また、前記液晶パネルの周囲に配置された電磁シールド部材を備え、前記反射部は、前記電磁シールド部材の内面であってもよい。
この発明によれば、電磁シールド部材は金属材料からなるため光反射率が高く、照明光の多くを反射板に向かって反射させるので、表示領域がより明るくなり視認性が向上するとともに、電磁シールド部材を反射部としても利用するので、液晶表示装置のコスト上昇を抑制することができる。
【００１６】
一方、本発明の電子時計は、上述した液晶表示装置を備えたことを特徴とする。
この発明によれば、薄肉の液晶表示装置を備えているので、電子時計を薄肉化することができる。また表示領域が明るい液晶表示装置を備えているので、電子時計の表示部を明るく視認性の高いものにすることができる。
【発明の効果】
【００１７】
本発明の液晶表示装置によれば、反射板として半透過反射板を採用する必要がなく、入射光の略全部を反射する反射板を採用することができる。そのため、照明手段の消灯時に液晶パネルの表側から入射した外光は、その略全部が反射板で反射され、表側に出射して表示が行われる。したがって、表示部は明るく視認性の高いものとなる。
また、照明手段が反射板の周囲に配置されているので、照明手段から出射した照明光は反射板の表側に回りこみ、反射部および反射板で反射されて出射される。ＰＮ型液晶パネルを採用した場合には光の散乱効果を高める効果もあり、透過表示部と白濁表示部とのコントラストを照明手段が非点灯の場合と同様にすることができる。さらに、入射光の略全部を反射する反射板を採用しつつも、照明手段として導光板を採用する必要がないので、液晶表示装置を薄肉化することができる。
【図面の簡単な説明】
【００１８】
【図１】実施形態に係る電子時計の側面断面図である。
【図２】実施形態に係る液晶パネルの平面図である。
【図３】図２のＡ−Ａ線における側面断面図である。
【図４】（ａ）はバックライト消灯時の情報表示作用の説明図であり、（ｂ）はバックライト点灯時の情報表示作用の説明図である。
【図５】第１変形例に係る液晶パネルの説明図であり、図２のＡ−Ａ線に相当する部分における側面断面図である。
【図６】（ａ）は第２変形例に係る電子時計の側面断面図であり、（ｂ）は第３変形例に係る電子時計の側面断面図である。
【図７】従来技術に係る液晶表示装置の情報表示作用の説明図である。
【発明を実施するための形態】
【００１９】
以下では、本発明の実施形態について、添付図面を参照して説明する。
（電子時計）
図１は、実施形態に係る電子時計の側面断面図である。なお、電子時計１および液晶パネル３０の時刻表示面側を表側とし、その反対側を裏側とする。
図１に示すように、電子時計１は、金属や樹脂材料等からなるケース１２を備えている。ケース１２の表側には表示窓１３が開口され、表示窓１３を覆うようにカバーガラス１４が配置されている。一方、ケース１２の裏側には凹部１５が形成され、凹部１５の開口が裏蓋１６で閉塞されている。
【００２０】
凹部１５の深さ方向の略中央部には、メイン基板２０が配置されている。メイン基板２０の裏側には電池ホルダ２６が配置され、電池ホルダ２６の内側に電池２８が配置されている。電池２８の表側の極は、電池ホルダ２６を介してメイン基板２０に電気的接続されている。電池２８の裏側の極は、裏蓋１６の配線（不図示）および電池ホルダ２６を介して、メイン基板２０に電気的接続されている。
一方、メイン基板２０の表側の中央部にはＩＣチップ２２が実装されている。
【００２１】
（液晶表示装置）
本実施形態の電子時計１は、液晶表示装置１０を備えている。液晶表示装置１０は、液晶パネル３０と、液晶パネル３０の裏側に配置された反射板３２と、反射板３２の周囲に配置されたバックライト３４とを備えている。
メイン基板２０の表側に、メイン基板２０から離間して、バックライト３４が配置されている。バックライト３４は、導電ゴムにより形成された第１コネクタ２３を介してメイン基板２０に実装されている。本実施形態では、バックライト３４としてエレクトロルミネッセンス装置（以下「ＥＬ装置」という。）が採用されている。
【００２２】
バックライト３４の表側には反射板３２が配置されている。反射板３２は、光反射率の高いアルミニウム等の金属箔で形成されている。反射板３２の表側には液晶パネル３０が配置されている。液晶パネル３０は、導電層および絶縁層を並べ一体成型した第２コネクタ２４を介してメイン基板２０に実装されている。メイン基板２０および液晶パネル３０は、支持部材２５を介して、ケース１２の凹部１５の底面に支持されている。
【００２３】
（液晶パネル）
図２は、液晶パネルの平面図である。なお本実施形態では、ＰＮ型液晶パネル３０について説明する。
図２に示すように、液晶パネル３０の中央部には、時刻情報を数字のセグメントで表示する表示部３１が設けられている。なお、ケースの表示窓１３は矩形状に形成され、表示窓１３の内側に表示部３１が配置されている。また、表示窓１３より大きく反射板３２の外形が形成され、反射板３２の外形より大きくバックライト３４の外形が形成されている。すなわちバックライト３４は、反射板３２の裏側だけでなく反射板３２の周囲にも配置されている。
【００２４】
図３は、図２のＡ−Ａ線における側面断面図である。
図３に示すように、液晶パネル３０は、液晶層６０を挟む一対の基板（表側基板４０および裏側基板５０）を備えている。一対の基板４０，５０は、それぞれガラス基板４１，５１を備えている。一対のガラス基板４１，５１の外側には、それぞれ紫外線フィルタ４２，５２が配置されている。紫外線フィルタ４２，５２は、紫外線の入射により液晶層６０が劣化するのを防止している。一対のガラス基板４１，５１の内側には、それぞれ透明導電性材料からなる電極４４，５４が形成されている。一対の電極４４，５４のうち少なくとも一方は、上述したセグメントの形状に形成されている。
【００２５】
一対の基板４０，５０の間には、ＰＮ型液晶層６０が配置されている。この液晶層６０の内部には網目状形成された高分子材６２が配置され、前記高分子材６２に沿って液晶分子６１が不規則に並んでいる。この状態の液晶層６０は入射光を散乱させる。すなわち外光７１は、液晶パネル３０の表側から入射し反射板３２で反射され表側に出射する過程で、液晶層６０において散乱される。そのため、出射光は白濁状態のように視認される。
【００２６】
一方、一対の電極４４，５４の間に表示電圧を印加すると、液晶分子６１が表示電圧方向に沿って整列する。この状態の液晶層６０は入射光を透過させる。すなわち外光７２は、液晶パネル３０の表側から入射し反射板３２で反射され表側に出射する過程で、液晶層６０を直進し液晶層６０を透過する。そのため、出射光は散乱すること無く透過し反射板表面が見えるようになる。
【００２７】
図４（ａ）はバックライト消灯時の情報表示作用の説明図であり、図４（ｂ）はバックライト点灯時の情報表示作用の説明図である。
図４（ａ）に示すように、本実施形態の液晶表示装置１０は、昼間はバックライト３４を消灯し、上記のように外光７０を利用して情報表示を行う。すなわち、表示窓１３を通過した外光７０は、表側から液晶パネル３０に入射し、反射板３２で反射され、再び液晶パネル３０の表側に出射する。そして、表示電圧印加部分では外光７０が液晶層を透過し反射光７２（図３参照）のように直進成分のまま表側に反射される。それ以外の部分では外光７０が液晶層で散乱されて散乱光７１（図３参照）のように直進成分は減少し散乱成分となり白濁状態となる。これらの透過と白濁とを組み合わせて情報表示が行われる。
【００２８】
本実施形態では、反射板として半透過反射板を採用することなく、入射光の略全部を反射する反射板を採用している。そのため、バックライト３４の消灯時、液晶パネル３０の表側から表示電圧印加部分に入射した外光７０は、その略全部が反射板３２で反射され、表側に出射して表示が行われる。したがって、半透過型反射板を使用した場合と比較し、表示領域全体が明るくなり、良好な視認性を確保することができる。
【００２９】
一方、本実施形態の液晶表示装置１０は、図４（ｂ）に示すように、夜間はバックライト３４を点灯し、その照明光８０を利用して情報表示を行う。すなわち、反射板３２の周囲のバックライト３４から出射した照明光８０は、液晶パネル３０を透過して、表示窓１３の周囲の見切り部におけるケース１２の内面に入射する。このケース１２の内面は、照明光８０を反射板３２に向かって反射する反射部１９として機能する。反射部１９で反射された照明光８０は、上記のように表側から液晶パネル３０に入射し、反射板３２で反射され、再び液晶パネル３０の表側に出射する。そして、ノーマリーホワイトのＴＮ型液晶パネルの場合は表示電圧印加部分では照明光８０が液晶層により遮断され黒表示が行われ、それ以外の部分では照明光８０が液晶層を透過して白表示が行われ、これらの白表示と黒表示とを組み合わせて情報表示が行われる。また、ＰＮ型液晶パネルの場合は表示電圧印加部分では照明光８０が液晶層を透過し透過表示が行われ、それ以外の部分では照明光８０が液晶で散乱して白濁表示が行われ、これらの透過表示と白濁表示とを組み合わせて情報表示が行われる。
【００３０】
本実施形態の液晶表示装置１０は、バックライト３４が少なくとも反射板３２の周囲に配置され、バックライト３４から出射した照明光８０を反射板３２に向かって反射する反射部１９を備える構成としている。そのため、バックライト３４から出射した照明光８０は、反射板３２の表側に回りこみ、反射部１９および反射板３２で反射されて、視認される。
また、反射板３２を採用しつつも、バックライト３４に厚肉の導光板を採用する必要がなく、薄肉のＥＬ装置を採用することができる。したがって、液晶表示装置１０を薄肉化することができる。
【００３１】
しかも、ＰＮ型液晶パネル３０を採用しつつ、バックライト３４にＥＬ装置を採用した場合でも、バックライト３４であるＥＬ装置から出射した照明光８０は、直ちに液晶パネル３０に入射することなく、反射部１９で反射して液晶層に入射し、散乱した後、反射板３２で反射されて再度液晶層に入射し散乱して出射され視認されるので、光の散乱により白濁状に見える効果は大きくなり白濁部が過度に明るくなるのを抑制でき、透過表示部と白濁表示部とのコントラストを外部からの入射光による情報表示と同様のコントラストを確保することができる。
【００３２】
（第１変形例）
図５は、第１変形例に係る液晶パネルの説明図であり、図２のＡ−Ａ線に相当する部分における側面断面図である。上述した実施形態ではＰＮ型液晶パネルを採用したが、実施形態の第１変形例では、図５に示すＴＮ型液晶パネル１３０を採用する点で異なっている。なお、実施形態と同様の構成となる部分については、詳細な説明を省略する。
【００３３】
図５に示す液晶パネル１３０において、一対のガラス基板４１，５１の外側には、それぞれ偏光板４８，５８が配置されている。一対のガラス基板４１，５１の内側には、それぞれ電極４４，５４が形成されている。また一対の電極４４，５４を覆うように、それぞれ配向膜４６，５６が形成されている。一対の配向膜４６，５６の間には、ＴＮ型液晶層１６０が配置されている。なおＴＮ型液晶に代えて、スーパーツイステッドネマチック型液晶を採用してもよい。
【００３４】
第１変形例の液晶パネル１３０は、ノーマリーホワイトモードに設定され、表示電圧を印加しない状態で入射光を透過する。この状態で、液晶パネル１３０の表側から入射した外光７１は、液晶パネル１３０を透過して反射板３２で反射され、再び液晶パネルを透過して表側に出射する。これにより、白表示が行われる。
一方、液晶パネル１３０は、一対の電極４４，５４の間に表示電圧を印加した状態で入射光を遮断する。この状態で、液晶パネル１３０の表側から入射した外光７２は、液晶パネル１３０を透過せず、再び表側に出射しない。これにより、表示電圧印加部分において黒表示が行われる。
【００３５】
第１変形例の液晶パネル１３０においても、バックライト消灯時には図４（ａ）のように情報表示が行われ、バックライト点灯時には図４（ｂ）のように情報表示が行われる。
バックライト点灯時、バックライト３４から出射した照明光８０は、反射板３２の表側に回りこみ、反射部１９および反射板３２で反射されて表示に利用される。ここで、第１変形例に係る液晶パネル１３０はノーマリーホワイトモードに設定されている。そのため、バックライト３４から出射した照明光８０は、液晶パネル１３０に遮断されることなく液晶パネル１３０を透過し、反射部１９で反射し液晶パネル１３０を透過し、反射板３２で反射し、液晶パネル１３０を透過して視認される。
【００３６】
（第２変形例）
図６（ａ）は、第２変形例に係る電子時計の側面断面図である。上述した実施形態では、ケース１２の内面がそのまま反射部として機能したが、実施形態の第２変形例では、ケース１２の内面に光反射処理が施されている点で異なっている。なお、実施形態と同様の構成となる部分については、その詳細な説明を省略する。
【００３７】
表示窓１３の周囲の見切り部におけるケース１２の内面に、光反射処理として反射シート９０が貼り付けられている。反射シート９０は、光反射率の高いアルミニウム等の金属材料で形成されている。なお、光反射処理として白色印刷を施してもよい。
バックライト３４の点灯時、バックライト３４から出射した照明光８０は、液晶パネル３０を透過して反射シート９０に入射する。この反射シート９０は、照明光８０を反射板３２に向かって反射する反射部１９として機能する。反射部１９で反射された照明光８０は、反射板３２で反射されて液晶パネル３０の表側に出射し、白表示が行われる。
【００３８】
第２変形例では、反射シート９０を備えているので、照明光８０の多くを反射板３２に向かって反射させることができる。したがって、光量が大きくなり表示部を明るくすることができる。
【００３９】
（第３変形例）
図６（ｂ）は、第３変形例に係る電子時計の側面断面図である。上述した実施形態では、ケース１２の内面がそのまま反射部として機能したが、実施形態の第３変形例では、電磁シールド部材９５の内面が反射部１９として機能する点で異なっている。なお、実施形態と同様の構成となる部分については、その詳細な説明を省略する。
【００４０】
表示窓１３の周囲の見切り部におけるケース１２の内面には、ステンレス等の金属材料からなる電磁シールド部材９５が設けられている。電磁シールド部材９５はケースの内面にアルミなどの金属を蒸着することでも良い。電磁シールド部材９５は、ケース１２の凹部１５の底面のうち、表示窓１３を除く全領域に形成されている。なお、電磁シールド部材９５の外周からケース１２の開口に向かって端子９７が伸び、裏蓋１６に接続されている。このように、ＩＣチップ２２および液晶パネル３０の周囲に配置された電磁シールド部材９５は、電子時計の表側から入射する電磁波が、ＩＣチップ２２および液晶パネル３０に入射するのを防ぐ機能を有している。
【００４１】
バックライト３４の点灯時、バックライト３４から出射した照明光８０は、液晶パネル３０を透過して電磁シールド部材９５の内面に入射する。この電磁シールド部材９５の内面は、照明光８０を反射板３２に向かって反射する反射部１９として機能する。反射部１９で反射された照明光８０は、反射板３２で反射されて液晶パネル３０の表側に出射し、白表示が行われる。なお、電磁シールド部材９５を液晶パネルの表面側だけでなく側面側にも形成すれば、バックライト３４から液晶パネル３０の表面側に出射した照明光８０だけでなく、側面側に出射した照明光も反射板３２に向かって反射させることができる。
【００４２】
電磁シールド部材９５は金属材料からなるため光反射率が高く、照明光の多くを反射板に向かって反射させるので、表示が明るくなる。したがって、視認性を高めることができる。また、電磁シールド部材９５を反射部１９として流用するので、液晶表示装置のコスト上昇を抑制することができる。
【００４３】
なお、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や層構成などはほんの一例に過ぎず、適宜変更が可能である。
【００４４】
例えば、実施形態では本発明の液晶表示装置を電子時計に適用する場合を例にして説明したが、電子時計以外の電子機器に本発明の液晶表示装置を適用することも可能である。
また、実施形態ではＰＮ型液晶パネルを、第１変形例ではＴＮ型液晶パネルを例にして説明したが、他の方式の液晶パネルを採用することも可能である。
【００４５】
また、実施形態では反射板の周囲だけでなく反射板の裏側にもバックライトを配置したが、バックライトは少なくとも反射板の周囲にあればよく、反射板の周囲のみにバックライトを配置することも可能である。また、実施形態では反射板の周囲の裏側にバックライトを配置したが、反射板の周囲の表側にバックライトを配置してもよい。
また、実施形態では液晶パネルの外形を反射板の外形より大きく形成したが、液晶パネルの外形を反射板の外形と同等に形成してもよい。
【符号の説明】
【００４６】
１…電子時計  １０…液晶表示装置  １２…ケース  １９…反射部  ３０…液晶パネル  ３２…反射板  ３４…バックライト（照明手段）  ７０…外光  ８０…照明光  ９５…電磁シールド部材
【図１】
2012202932.tif 000003
【図２】
2012202932.tif 000004
【図３】
2012202932.tif 000005
【図４】
2012202932.tif 000006
【図５】
2012202932.tif 000007
【図６】
2012202932.tif 000008
【図７】
2012202932.tif 000009